(57)【要約】【課題】洗濯機に用いられる洗剤分配カートリッジを提供する。【解決手段】洗濯機は汚れた生地を洗浄するのに適したものであり、湿らせた生地の処理は多数のポリマー粒子を含む配合物によるものであり、前記配合物は有機溶媒を含んでいない。【選択図】図１
2013527780.tif 000002
【特許請求の範囲】
【請求項１】
洗濯機と共に用いられる洗剤分配カートリッジであって、洗濯機が汚れた生地を洗浄するためのものであり、湿らせた生地を多数のポリマー粒子を含む配合物で処理することを含み、前記配合物が有機溶媒を含まない、前記カートリッジ。
【請求項２】
ポリマー粒子が、ナイロンチップ、例えば、ナイロン6またはナイロン6,6を含む、請求項1に記載のカートリッジ。
【請求項３】
カートリッジが複数のコンパートメントを有する、請求項1または2に記載のカートリッジ。
【請求項４】
各コンパートメントが、注文の完全な洗剤配合物または洗剤配合物の単一の活性成分に集中する配合物を保持するように設計され得る、請求項3に記載のカートリッジ。
【請求項５】
カートリッジコンパートメントがモジュラーである、請求項3または4に記載のカートリッジ。
【請求項６】
各コンパートメントが、5から5000ccまでの容積を有し得る、請求項3〜5のいずれか1項に記載のカートリッジ。
【請求項７】
コンパートメント内容物が二次包装に含まれている、請求項3〜6のいずれか1項に記載のカートリッジ。
【請求項８】
コンパートメント含量が補充可能である、請求項3〜6のいずれか1項に記載のカートリッジ。
【請求項９】
カートリッジが、プラスチック材料、例えば、ポリプロピレン、ポリエチレンを含む、請求項1〜8のいずれか1項に記載のカートリッジ。
【請求項１０】
湿らせた生地を多数のポリマー粒子を含む配合物で処理することを含み、前記配合物が有機溶媒を含まない、汚れた生地を洗浄するための洗濯機の洗濯操作における請求項1〜9のいずれか1項に記載のカートリッジの使用。
【発明の詳細な説明】
【技術分野】
【０００１】
本発明は、洗濯機と用いられる洗剤分配カートリッジに関する。
【背景技術】
【０００２】
衣服を自動洗濯機で洗浄することは、よく知られており、広範囲に行われている。
【発明の概要】
【発明が解決しようとする課題】
【０００３】
用いられる洗剤、洗浄サイクルの種類および機械自体を改良することによって洗浄作用を改善する方法がしばしば探究されている。
外部資源(特に水および電気)をより効果的に用いるように洗浄プロセスを改良することがますます求められている。また、洗浄における過剰な化学使用の低減に対して環境的圧力が増加している。消費者は、更に、家庭の雑用を行うのにかけなければならない時間についても要求している。
【課題を解決するための手段】
【０００４】
本発明の第1の態様によれば、洗濯機に用いられる洗剤分配カートリッジが提供される。
洗濯機によって洗浄操作に用いることができるいかなる容器/機械(手動でも完全/部分的自動でも)も意図される。洗濯機は、好ましくは自動洗濯機である。最も好ましくは、洗濯機は、それが同時係属特許出願国際公開第2007/128962号パンフレット、英国特許第0902619.6号明細書、同第0907943.5号明細書、同第0916249.6号明細書、同第0916250.4号明細書、同第0920565.9号明細書、同第1002245.7号明細書および同第1006076.2号明細書の1つ以上の技術を用いて作動するように改良されたものである; これらの開示内容は引用により組み込まれている。
本発明の第2の態様によれば、洗濯機に用いられる洗剤分配カートリッジであって、洗濯機が汚れた生地を洗浄するためのものであり、湿らせた生地を多数のポリマー粒子を含む配合物で処理することを含む、前記カートリッジを提供する。
本発明の第3の態様によれば、洗濯機に用いられる洗剤分配カートリッジであって、洗濯機が汚れた生地を洗浄するためのものであり、湿らせた生地を多数のポリマー粒子を含む配合物で処理することを含み、前記配合物が有機溶媒を含まない、前記カートリッジを提供する。
【図面の簡単な説明】
【０００５】
【図１】図1は、分光光度計装置において可視波長の関数として反射率を測定した汚染モニタの呈色強度値(K/S)を示すグラフである。
【図２】図2は、分光光度計装置において可視波長の関数として反射率を測定した木綿上の皮脂/色素の呈色強度値(K/S)を示すグラフである。
【図３】図3は、分光光度計装置において可視波長の関数として反射率を測定したポリエステル/木綿上の皮脂/色素の呈色強度値(K/S)を示すグラフである。
【発明を実施するための形態】
【０００６】
好ましくは、ビーズと生地との比は、一般的には30:1から0.1:1 w/wまでの範囲に、好ましくは約10:1から1:1 w/wまでの範囲にあり、特に良好な結果は5:1と1:1 w/wの間の比で、最も詳しくは約2:1 w/wで達成される。したがって、例えば、5gの織物の洗浄のためには10gのポリマー粒子が使われる。
【０００７】
ポリマー粒子は、良好な流動性と紡織繊維との密接な接触を可能にするような形状と大きさを有する。種々の粒子の形状、例えば、円筒状、球状または立方形を使用し得る; 適切な断面形状を使うことができ、例えば、環状リング、ドッグボーン、円形が挙げられる。粒子は、滑らかなまたは不規則な表面構造を有してもよく、中空でない構造または中空構造を有し得る。粒子は、好ましくは、平均質量を5〜100mg、好ましくは10から30mgまでの範囲で有するような大きさを有する。最も好ましいビーズの場合、好ましい平均粒径は、0.5から6.0mmまで、より好ましくは1.0から5.0mmまで、最も好ましくは2.5から4.5mmまでの範囲にあり、ビーズの長さは、好ましくは0.5から6.0mmまで、より好ましくは1.5から4.5mmまでの範囲にあり、最も好ましくは2.0〜3.0mmの範囲にある。
【０００８】
前記ポリマー粒子は、広範囲の異なるポリマーのいずれかを含み得る。詳しくは、ポリアルケン、例えばポリエチレンやポリプロピレン、ポリエステルおよびポリウレタンを挙げることができ、これらは発泡されていても発泡されていなくてもよい。しかしながら、前記ポリマー粒子は、好ましくはポリアミドまたはポリエステルの粒子、最も詳しくはナイロン粒子、ポリエチレンテレフタレートまたはポリブチレンテレフタレートを、最も好ましくはビーズの形で含む。前記ポリアミドやポリエステルは水性のしみ/汚れ除去に特に効果的であることが見られ、ポリアルケンは油性のしみの除去に特に有効である。必要により、上記ポリマー材料のコポリマーを使ってもよい。
【０００９】
ナイロン6、ナイロン6,6、ポリエチレンテレフタレート、ポリブチレンテレフタレートが挙げられるがこれらに限定されない種々のナイロンまたはポリエステルホモポリマーまたはコポリマーが用いられ得る。好ましくは、ナイロンは、5000から30000ダルトンまで、好ましくは10000から20000ダルトンまで、最も好ましくは15000から16000ダルトンまでの範囲にある分子量を有するナイロン6,6ホモポリマーを含む。ポリエステルは、典型的には、ASTM D-4603のような溶液技術によって測定されるように、0.3-1.5dl/gの範囲にある固有粘度測定に対応する分子量を有する。
【００１０】
一般に、ポリマー粒子は、ナイロンチップ、例えばナイロン6またはナイロン6,6を含む。
【００１１】
カートリッジの使用により、使用の容易さによって消費者へ大きな利点を与えることがわかった。カートリッジの使用は、清浄性組成物の洗濯機への放出を可能し(複数の洗浄サイクルにわたって)、その場合、消費者が洗浄性組成物を計量するかまたは洗浄性組成物と接触する必要がなく、更に、正しい洗浄性組成物が機械の洗濯物荷重に加えられたことを知ることの安心を有する。
【００１２】
好ましくは、カートリッジは、複数のコンパートメントを有する。一般に、各コンパートメントは、各コンパートメントの内容物が別々に/順次放出され得るように別々に活性化され得る。各コンパートメントは、それが注文の完全な洗剤配合物または洗剤配合物の単一の活性成分に集中する配合物を保持するように設計され得る。各コンパートメントが別々に; 完全に個々の活性化であるいはコンパートメント含量の一部が放出され得るように洗浄サイクルの所定の部分で1つ以上のコンパートメントを活性化する「プログラム」で活性化され得ることが好ましい。このようにして、その上に存在する汚染の大きさ、組成およびタイプに関して具体的な洗濯物荷重に適するように洗剤放出が調整され得ることがわかった。明らかには、具体的なコンパートメントが、洗浄サイクルにおいて一回か、少しもないかまたは複数の機会活性化され得ると想定される。
【００１３】
別々の収容と放出が、コンパートメント成分の貯蔵安定性を含む多くの理由のために、特に拮抗的成分のために、有効であることがわかった。例えば、漂白剤と酵素の間の拮抗的相互作用を取り除き得る。更なる例は、対向するイオン電荷を有する成分の減少/除去である。この点に関しては、ほとんどの染色固着剤/移染防止剤(例えば、PVP、PVP-VI、PVNOベースの化合物またはその誘導体)(以後DTI)は、正電荷を有する。この正電荷の存在は、洗剤(特に洗浄機能を与える洗濯用洗剤)に典型的に使われるアニオン界面活性剤の間で有害な相互作用を引き起こす。染色固着剤/DTIとアニオン界面活性剤は、電荷が対向することから共に「カップリングする」と、それぞれの機能が損なわれる。この問題を回避する1つの方法は、アニオン性界面活性剤を非イオン界面活性剤に置き換え、カップリング効果を回避することであるが、典型的な非イオン界面活性剤はアニオン界面活性剤より洗浄機能が悪い。アニオン界面活性剤と別々のコンパートメントに染色固着剤/DTIを配置することによって、カップリング問題を取り除き得る。
【００１４】
更に別々のコンパートメントの収容/放出により、その接合部で放出されるコンパートメントの内容物と働くことが最適化されるように洗浄液の温度/加熱を調整し得る。漂白剤/漂白活性剤組成物が放出されるときの一例として、洗浄液の加熱(例えば約40-60℃)は、漂白剤/漂白活性剤組成物の最適機能が生じることを確実にするのに適切であり得る。対照的に、その他の洗剤成分の多くはそれらの最適機能を達成するために加熱する洗浄液を必要としない。この態様において、洗浄液全体またはその一部が加熱され得ることを理解すべきである。洗浄液の一部のみが加熱される場合、その一部はカートリッジを通過するかまたはそれに隣接する洗浄液の一部かまたは洗浄液循環系を通過するかまたはそれに隣接する一部であり得る。
【００１５】
更に、別々のコンパートメントの収容/放出は、その接合部で放出されるコンパートメントの内容物と働くことが最適化されるように洗浄液のpHを調整し得ることを可能にする。漂白剤/漂白活性剤組成物が放出されるときの一例として、洗浄液のpHを上げること(例えば適切なpH調整剤の放出によってアルカリpHに)は漂白剤/漂白活性剤組成物の最適機能が生じることを確実にするために適切であり得る。対照的に、その他の洗剤成分の多くは、最適機能を達成するためにpH調整を必要としない。
【００１６】
別々のコンパートメントの収容/放出に加えて、国際公開第2007/128962号パンフレットの系と働くことが最適化されるように個々の洗剤活性物質の放出が調製され得る。
【００１７】
この点に関しては、1つの好ましい放出プロファイルが下記の順序であることがわかった:-
a)酵素含有配合物の放出;
b)酸化配合物の放出;
c)ビルダー/織物柔軟仕上げ剤含有配合物の放出。
他の好ましい放出プロファイルは、下記の順序である:-
a)染色固着剤/DTI含有配合物の放出
b)酵素含有配合物の放出;
c)酸化配合物の放出;
d)ビルダー/織物柔軟仕上げ剤含有配合物の放出。
組成物(a)および/または(b)および/または(c)が界面活性剤を含有してもよい。酸化配合物が漂白剤および/または漂白活性剤/触媒を含有してもよい。
【００１８】
国際公開第2007/128962号パンフレットの方法によれば、用いられるポリマー粒子は、洗濯洗浄サイクル全体にわたってまたはその一部にのみ存在してもよい。ポリマー粒子が洗浄サイクルの一部にのみ存在する場合、ポリマー粒子が洗濯機操作のすすぎサイクル(好ましくは最後のすすぎサイクル)において洗濯機の洗浄領域から除去されることが好ましい。
【００１９】
カートリッジは、洗濯機操作の(ビーズが機械に添加される前であり得る)予備洗浄サイクルにおいて一部の洗浄性成分の放出のためのコンパートメントを含み得る。このことはある種の洗剤成分について有益であることがわかったが、その活性はポリマー粒子に吸着することによって損なわれ得る。
更にまたはあるいは、カートリッジは、洗濯機操作のすすぎサイクル(好ましくは最後のすすぎサイクル)において一部の洗浄性成分の放出のためのコンパートメントを含み得る。このことはある種の洗剤成分について有益であるとわかったが、その活性はポリマー粒子に吸着することによって損なわれ得る。この段階で(および好ましくはカートリッジにコンパートメントがある)放出のための洗浄性成分の好ましい例は、蛍光増白剤および芳香剤である。カートリッジコンパートメントはモジュラーであり得る。例えばカートリッジの1つ以上のコンパートメントはカートリッジ全体を交換せずに入れ替え可能であり得る。同時に、洗濯に最も必要とするようなコンパートメントを用いて完全なカートリッジが構成され得るようにどのコンパートメントが典型的な洗濯の種類に最も適しているかについて消費者が選択し得ることが好ましい。
【００２０】
各コンパートメントは、1から5000ccまで、より好ましくは10から900ccまで、より好ましくは20から600ccまで、より好ましくは20から400ccまで、より好ましくは20から300ccまで、より好ましくは20から200ccまで、最も好ましくは20から100ccまでの容積を有し得る。
【００２１】
洗濯機におけるカートリッジの位置決めはフレキシブルである。明らかに、カートリッジ内容物が洗濯機の洗浄領域に分配され得るようにカートリッジが位置決めされることが好ましい。コンジットは、カートリッジ出力物を洗濯領域に接続するために存在し得る。あるいはおよび/または更に、その出力物が新たに入る洗濯液体(例えば水)に隣接しているかまたは接続するようにカートリッジが位置決めされ得る。新たに入る洗濯液体/洗濯液がデバイスの上に/回りに流れるようにカートリッジが位置決めされ得る/洗濯機が設計され得る。
【００２２】
カートリッジコンパートメント活性化は、多くのメカニズムの1つ以上によって操作され得る。異なる活性化メカニズムがカートリッジの異なるコンパートメントに対して用いられ得る。
【００２３】
好ましい操作メカニズムは、手動または非手動メカニズムでもよい。好ましい非手動操作メカニズムは、洗濯サイクル内の変化と関連した物理化学活性化引き金を含む。好ましい例としては、時間、温度/温度変化、匂い/香り、湿気/水の存在(または洗浄液の特性に関連したほかのもの、例えばイオン強度またはpH)、ドラム回転/遠心力または他の力が挙げられる。洗濯機の概略が引き金となる洗濯機の操作によって洗濯サイクル内の1つ以上の時点でコンパートメントまたはカートリッジの1つ以上の操作が影響されるかまたは引き起こされるように、他の操作メカニズムがカートリッジから洗濯機までのコンジットの結果から生じ得る(特に洗濯機操作概略)。このようにして、異なる洗濯サイクルは、そのカートリッジ/コンパートメントの異なる活性化/操作の引き金となる。更に、異なる洗濯物荷重/状態は、1つ以上のコンパートメントの差動的な操作度の引き金となり得る。
【００２４】
カートリッジは、また、消費者が使い得る手動優先を有してもよい。この手動優先は、1つ以上のコンパートメントの放出が増加/減少され更に/または放出のタイミングが影響されるようにカートリッジの標準分配活性に打ち勝つとともに分配に影響し得る。
【００２５】
コンパートメントの内容物全体は、単一洗濯サイクルの1部分でまたはその複数部分で、単一洗濯サイクルにおいて放出され得る。より好ましくは、コンパートメントの内容物は、消費者への利便を加えて複数の洗濯サイクル、例えば10-30回を超える洗濯サイクル(例えば約20回の洗浄サイクル)にわたって放出され得る。この場合にも、カートリッジの内容物は複数のサイクルにわたって複数の点で放出され得る。好ましくはカートリッジおよび/またはその1つのまたは各々のコンパートメントは、消費者が1つ以上のコンパートメントの内容物が使い尽くされかつ補充することを必要とすることに気づくことを確認するために、「寿命の終末」指標を有し得る。「寿命の終末」指標は、洗濯機の概略との連絡が引き金となるかまたはそれによって生じ得る。
【００２６】
同様にデバイスの一実施態様において、カートリッジは単一洗濯サイクルを意図する。
コンパートメント放出操作は、多くのメカニズムの1つ以上によるものであり得る。好ましいコンパートメント放出メカニズムには、手動放出(例えば、開口、圧搾)、重力放出、能動的放出(例えば、モータ/ポンプ、例えば、動力モータ、ワックスモータ、圧電、注入または噴霧による)およびコンパートメントを通ってまたはそれに隣接した流れまたは洗濯液/ポリマー粒子によって駆動されてそこからコンパートメント(またはその一部)の内容物を引き出す受動的放出が含まれる。放出は、能動的と受動的のメカニズムの組み合わせであってもよい。例えば、コンパートメントへの接近手段は、コンパートメントから能動的放出を可能にするある条件下で開放され得る。その活性化メカニズムの好ましい例は、放出(いかなるメカニズムによっても)を行わせるある所定の温度で開口手段が活性化されるように、バイメタル式開口手段である。
【００２７】
洗浄性分配配合物全体のより小さい部分を作成する洗浄性成分については(例えば、芳香剤、蛍光増白剤)、より能動的な分配法、例えば噴霧が好ましいことになる。洗浄性分配配合物全体のより大きい部分を作成する洗浄性成分(および関連するコンパートメント)については(例えば、界面活性剤、ビルダー)、より受動的な分配法が好ましいことになる。
【００２８】
コンパートメント内容物は、適切な物理的形態であり得る。好ましい形態には、液体(分散液、懸濁液、ペースト、溶液、エマルジョン、ゲル)および固体(凝固したゲル、粉末、錠剤)が含まれる。カートリッジにおいて、異なっているコンパートメントの含量は、異なっている物理的形態であり得る。
コンパートメント内容物は、二次包装、例えば、封入手段、ポーチまたはサシェに含有され得る。
【００２９】
コンパートメント内容物は、補充可能であり得る。補充内容物は、顆粒、粉末、または液体/ゲルの形であってもよく、その/各々のコンパートメントに対する組成物の種類の化学的/物理的性質に左右される。補充組成物は「単位用量」組成物、例えば圧縮/凝固/成形錠剤の形態であってもよく、補充はフィルムポーチで包装されてもよく、ここで、フィルムは完全に水溶性/分散性でもよく、ポーチ含有量の放出を可能にする水溶性部分または穴あけ可能な部分を有してもよい。フィルムポーチは、金属箔またはプラスチック材、例えば、ポリプロピレン、ポリエチレン、ポリビニルアルコール、ABS、PET、ポリアミド、PMMAまたはPCを含み得る。明らかに、単位用量組成物は、それぞれのコンパートメントに適合するとともに消費者を有害な薬品にさらすことなく補充の容易さを可能にする大きさが設定される。複数の単位用量物質は、1つのコンパートメントに適合し得る; その配置は、それと関連する別々の支持フレームを有し得る。
【００３０】
慣用の洗浄性活性物質(これ以後参照のこと)だけでなく、カートリッジは、ポリマー粒子の活性を増加させることに対する1つ以上の活性物質を含有し得る。この点に関しては、1つの好ましい活性物質は、ポリマー粒子に対する可塑剤である。その可塑剤の使用により、ポリマー粒子がより低い温度で活性であるようにポリマー粒子のTgが低下すると仮定される。配合物はポリマー粒子上の位置に吸収される犠牲剤を含んでもよく、さもなければこれらの位置によって1つ以上の洗浄性活性物質の有害な吸着が生じる。
【００３１】
カートリッジは、(補助)ポリマー粒子を含有するコンパートメントを含み得る。これらの粒子は、単にポリマーでもよく、活性に影響を及ぼすように物理的または化学的に変化させられていてもよい。化学的変化の好ましい手段にはポリマー粒子が含まれ、その中に洗浄性活性物質が可逆的に/不可逆的に吸着されている(例えば酵素、漂白触媒)かまたはその上に洗浄性活性物質が被覆されている。
【００３２】
本発明のカートリッジの使用により、ポリマー粒子が存在することから洗浄性配合物全体が変化され得ることがわかった。変化の一例は、洗濯サイクル当たり必要とされる洗剤の全体量がかなり少ないことである。実際にこの点に関しては、必要とされる洗剤の量が自動ランドリー洗濯機における衣料洗濯操作のために普通予想される量の50%、40%、30%、20%または10%でさえ少なくてもよいことがわかった。例えば、本発明のカートリッジの使用により、等価選択標準がわずか15gの液体洗剤配合物を用いて自動ランドリー洗濯機において5kg荷重の洗濯に対して達成され得ることがわかった(一方自動ランドリー洗濯機での従来の洗濯プロセスにおいては150gの同じ液体配合物が必要とされる)。
【００３３】
少量の洗剤が用いられる場合、家庭用洗濯洗剤に典型的に見られるある成分の量を減少させ得ることがわかった。特に、必要とされるビルダーの量が少なくてもよいことがわかった。他の変化は、ポリマー粒子がミセルの中心でポリマー粒子により改良された洗浄性ミセルを形成し得ることから、洗浄性界面活性剤が変化し得ることがわかったことである(その量および/または種類に関して)。更なる変化は、(少量の洗浄液のために)過剰なすすぎ水で抽出によって廃棄されるある種の活性物質、例えば、芳香剤、蛍光増白剤の量が激減され得る。
【００３４】
(従来のランドリー洗濯より)少量の洗剤が必要とされるので、カートリッジとその個々のコンパートメントの大きさ全体が消費者に対する都合が強化されて小さくてもよいことがわかった。
【００３５】
本発明のカートリッジの使用により、洗濯サイクル全体が変化され得ることがわかった。変化の一例は、より高い温度を、典型的には短時間(少なくとも洗浄液の一部に)用い得ることである、(機械における洗濯液の量が少ないので用いられるエネルギーの量に有害でない)。このことは、ある洗浄性成分、例えば漂白剤の作用が、しばしば低濃度の活性物質において、おそらく共活性物質を含まずに(漂白剤について、共活性物質は、漂白触媒/漂白活性化剤である)、ある洗浄性成分の作用を増加させ得る点で有益であることがわかった。
【００３６】
一般に、洗濯サイクル温度が0℃から90℃まで、より好ましくは5℃と90℃の間に、より好ましくは5℃と70℃の間に、より好ましくは15℃と40℃の間に、例えば約30℃であると理解される。
【００３７】
洗濯サイクル時間は、好ましくは15と150分の間に、より好ましくは15と120分の間に、最も好ましくは20と40分の間にある。サイクルのすすぎ割合は、サイクル時間全体の好ましくは50%まで、より好ましくは40%まで、より好ましくは20%、より好ましくは10%までである。最終の脱水は、サイクル時間全体の約5%であり得る。中間の脱水(例えばサイクルの部分の間)は、サイクル時間全体の約1-2%であり得る(個々にまたはひとまとめにして)。
【００３８】
洗濯サイクルに用いられる洗濯水の量は、好ましくは洗濯物荷重1キロにつき約6リットルである; 洗濯段階に約3リットルとすすぎ段階に3リットル。水の量は、より少ない、例えば、好ましくは洗濯物荷重1キロにつき2.5:1と0.1:1リットルの間にあり得る; より好ましくは比が洗濯物荷重1キロにつき2.0:1と0.8:1リットルの間にあり、特に好ましい結果は洗濯物荷重1キロにつき1.5:1、1.2:1および1.1:1リットルのような比で達成された。
これは、従来の洗濯機に対して洗濯荷重1キロにつき約13リットルに匹敵する; 洗濯段階に約4リットルおよびすすぎ段階に9リットル。
【００３９】
カートリッジは、洗濯機の中またはそれの上の適切な位置で、例えばドラム/引き出しの中に配置されるように設計され得る。
【００４０】
カートリッジは、洗濯機内またはそれに関連した適切なカートリッジ収容手段で操作し得る。カートリッジ収容手段は、完全に機械的であり得る。あるいは、カートリッジ収容手段は、カートリッジの一部と関連し(かつ必要によりカートリッジの一部の操作を動かす)電子部品を含み得る。カートリッジ収容手段は、カートリッジ(および/またはその個々のコンパートメント)、例えば、電波による個体識別(RFID)メカニズム、例えばカートリッジのバーコードの存在を確認するメカニズムを含み得る。
【００４１】
カートリッジは、好ましくはプラスチック材料、例えば、ポリプロピレン、ポリエチレン、ABS、PET、ポリアミド、PMMAまたはPCを含む。カートリッジ/コンパートメント材料は、例えばバリヤー層で被覆され得る。その層を用いて、より積極的な化学封入物を可能にし得る(例えば、ポリマー応力亀裂の防止を補助する)。
【００４２】
本発明の一実施態様において、複数の別々のカートリッジが洗濯機/洗濯機サイクルにおいて同時に用い得ることが好ましい。各カートリッジは、洗濯機の異なる部分または洗濯機の同じ部分に配置され得る。各カートリッジは、同じかまたは補足的洗剤組成物(例えば、多くのコンパートメントにおいて)を含有し得る。
【００４３】
典型的には5〜6回の洗濯毎に行われ得るビーズ洗浄プロセスにより、ビーズの表面が洗濯プロセスにおいて非常に活性のままである。好ましくは、ビーズ洗浄は界面活性剤(非イオンおよび/またはアニオンおよび/またはカチオン)および必要により、例えば、水酸化ナトリウム/水酸化カリウム、次塩素酸塩、次亜塩素酸塩または以前に挙げたその他の漂白剤および活性化剤より選ばれた他のより積極的な薬品の個々の用量を水の量に添加して、水とビーズとの比が好ましくは約0.5〜3リットルの水/kgのビーズの範囲にある。ビード洗浄プロセスは、カートリッジから適切な洗浄組成物の放出によって促進され得る。
【００４４】
界面活性剤の好ましい例としては、アニオン界面活性剤、非イオン界面活性剤、カチオン界面活性剤、両性界面活性剤、双性イオン界面活性剤またはその混合物が挙げられる。
アニオン界面活性剤の例は、アルキルエーテル硫酸塩としても知られる、直鎖または分枝鎖のアルキル硫酸塩およびアルキルポリアルコキシル化硫酸塩である。その界面活性剤は、C8-C20高級脂肪族アルコールの硫酸化によって製造され得る。
【００４５】
第一級アルキルスルフェート界面活性剤の例は、下記式である:
ROSO3-M+
(式中、Rは、直鎖C8-C20ヒドロカルビル基であり、Mは、水可溶性カチオンである)。
【００４６】
好ましくは、Rは、C10-C16アルキル、例えば、C12-C14であり、Mは、アルカリ金属、例えば、リチウム、ナトリウムまたはカリウムである。
【００４７】
第二級アルキルスルフェート界面活性剤の例は、分子の「主鎖」にスルフェート部分を有するもの、例えば下記式である:
CH2(CH2)n(CHOSO3-M+)(CH2)mCH3
(式中、mおよびnは、独立して2以上であり、m+nの合計は典型的には6〜20、例えば9〜15であり、Mは、水可溶化カチオン、例えば、リチウム、ナトリウムまたはカリウムである)。
【００４８】
特に好ましい第二アルキルスルフェートは、2-スルフェートおよび3-スルフェートに対してそれぞれ下記式の(2,3)アルキルスルフェート界面活性剤である:
CH2(CH2)x(CHOSO3-M+)CH3および
CH3(CH2)x(CHOSO3-M+)CH2CH3
これらの式において、xは、少なくとも4、例えば6〜20、好ましくは10〜16である。Mは、カチオン、例えばアルカリ金属(リチウム、ナトリウムまたはカリウム等)である。
【００４９】
アルコキシル化アルキルスルフェートの例は、下記式のエトキシル化アルキルスルフェートである:
RO(C2H4O)nSO3-M+
(式中、Rは、C8-C20アルキル基、好ましくはC10-C18、例えばC12-C16であり、nは、少なくとも1、例えば1から20まで、好ましくは1〜15、特に1〜6までであり、Mは、塩形成カチオン、例えば、リチウム、ナトリウム、カリウム、アンモニウム、アルキルアンモニウムまたはアルカノールアンモニウムである)。
これらの化合物は、アルキルスルフェートと組み合わせて用いられる場合、特に望ましい織物洗浄性能の利点を与え得る。
【００５０】
アルキルスルフェートとアルキルエーテルスルフェートは、一般に、種々のアルキル鎖長および、存在する場合には、種々のアルコキシル化度を含む混合物の形で用いられる。
使い得る他のアニオン界面活性剤は、脂肪酸、例えばC8-C18脂肪酸の塩、特にナトリウムカリウムまたはアルカノールアンモニウム塩やアルキル、例えばC8-C18、ベンゼンスルホネートである。
【００５１】
非イオン界面活性剤の例は、脂肪酸アルコキシレートである。エトキシル化およびプロポキシル化非イオン界面活性剤が好ましい。好ましいアルコキシル化界面活性剤は、アルキルフェノール、非イオンエトキシル化アルコール、非イオンエトキシル化/プロポキシル化脂肪族アルコールの非イオン凝縮物、プロピレングリコールとの非イオンエトキシル化/プロポキシル化凝縮物、およびプロピレンオキシド/エチレンジアミン付加物との非イオンエトキシル化縮合生成物の種類より選ばれ得る。好ましい脂肪酸エトキシレートは、特に下記式のものである:
R(C2H4O)nOH
(式中、Rは、直鎖または分枝鎖のC8-C16アルキル基、好ましくはC9-C15、例えばC10-C14またはC12-C14アルキル基であり、nは、少なくとも1、例えば1から16まで、好ましくは2〜12、より好ましくは3〜10である)。
【００５２】
アルコキシル化脂肪族アルコール非イオン界面活性剤は、3から17まで、より好ましくは6から15まで、最も好ましくは10から15までにわたるHLB(HLB)をしばしば有する。
【００５３】
脂肪族アルコールエトキシレートの例は、炭素原子12〜15個のアルコールからつくられたものであり、約7モルのエチレンオキシドを含有する。その材料は、Shell Chemical社によって商標Neodol 25-7およびNeodol 23-6.5として市販されている。他の有用なNeodolとしては、Neodol 1-5、約5モルのエチレンオキシドを有するアルキル鎖内の炭素原子が平均11個であるエトキシル化脂肪族アルコール; Neodol23-9、約9モルのエチレンオキシドを有するエトキシル化C12-C13第一アルコール; およびNeodol91-10、約10モルのエチレンオキシドを有するエトキシル化C9-C11第一アルコールが挙げられる。
【００５４】
このタイプのアルコールエトキシレートもまた、Dobanol商標としてShell Chemical社によって市販されている。Dobanol 91-5は、平均5モルのエチレンオキシドを有するエトキシル化C9-C11脂肪族アルコールであり、Dobanol 25-7は、脂肪族アルコール1モルにつき平均7モルのエチレンオキシドを有するエトキシル化C12-C15脂肪族アルコールである。
【００５５】
適切なエトキシル化アルコール非イオン界面活性剤の他の例としては、Tergitol 15-S-7およびTergitol 15-S-9が挙げられ、いずれもUnion Carbide Corporationから入手可能な直鎖第二アルコールエトキシレートである。Tergitol 15-S-7は、7モルのエチレンオキシドを有するC11-C15直鎖第二アルカノールの混合エトキシル化生成物であり、ターギトール15-S-9は、9モルのエチレンオキシドを有する以外は同じものである。
【００５６】
他の適切なアルコールエトキシル化非イオン界面活性剤はNeodol 45-11であり、これは炭素原子14-15を有する脂肪族アルコールの同様のエチレンオキシド縮合生成物であり、1モル当たりのエチレンオキシド基の数は約11である。その生成物もまた、Shell Chemical社から入手可能である。
【００５７】
更なる非イオン界面活性剤は、例えば、C10-C18アルキルポリグリコシド、例えばC12-C16アルキルポリグリコシド、特にポリグルコシドである。これらは、泡立ちが多いことが望まれる場合に特に有効である。更なる界面活性剤は、ポリヒドロキシ脂肪酸アミド、例えば、C10-C18 N-(3-メトキシプロピル)グリカミドとPluronicタイプのエチレンオキシド-プロピレンオキシドブロックポリマーである。
【００５８】
カチオン界面活性剤の例は、第四アンモニウムタイプのものである。
好ましい第四アンモニウム化合物は、式(I)または(Ia)を有するか、またはその混合物を含む;
[R'-(CO)-O-R-N+(-R')(-(RO)nH)(-RO-(CO)-R')]X-  (I)
[R'-(CO)-NH-R-N+(-R1)(-(RO)nH)(-R-NH-(CO)-R')]X-  (Ia)
(式中:
Rは、炭素原子2〜4個を有するアルキレン基またはアルケニレン基であり;
R'は、炭素原子8〜22個を有するアルキル基またはアルケニル基であり;
nは、1〜4の数値を有する整数であり;
R''は、炭素原子1〜4個を有するアルキル基であり;
R1は、炭素原子1〜4個を有するアルキル基または水素であり;
X-は、軟化剤適合性アニオンである)。
【００５９】
軟化剤適合性アニオン(X-)の限定されない例としては、塩化物、ギ酸塩、硝酸塩、硫酸塩またはC1-4アルキル硫酸、好ましくは硫酸メチルが挙げられる。
アルキルまたはアルケニルR'は、理想的には、炭素原子を少なくとも10個、好ましくは炭素原子を少なくとも14個、より好ましくは炭素原子を少なくとも16個含有しなければならない。基は、直鎖でもよく分枝鎖でもよい。
【００６０】
第四アンモニウム化合物の個々の例は、ジ(獣脂カルボキシエチル)ヒドロキシエチルメチルアンモニウムX-である。
カチオンの織物補助軟化剤を存在させてもよい。
両性界面活性剤の例は、C10-C18アミンオキシドおよびC12-C18ベタインおよびスルホベタインである。
【００６１】
適切なビルダーは、アルカリ金属またはアンモニウムホスフェート、ポリホスフェート、ホスホネート、ポリホスホネート、カーボネート、ビカーボネート、ボレート、ポリヒドロキシスルホネート、ポリアセテート、カルボキシレート、例えばシトレートおよび他のポリカルボキシレート/ポリアセチルカルボキシレート、例えばスクシネート、マロネート、カルボキシメチルスクシネートである。
3つの主要なタイプの水軟化剤のための作用方法があり、以下に記載する。
1) イオン交換剤 - その薬剤には、結晶性、アモルファスまたはその2つの混合物のアルカリ金属(好ましくはナトリウム)アルミノケイ酸塩が含まれる。そのアルミノケイ酸塩は、一般的にはアルミノケイ酸塩1グラムにつき少なくとも50mgのCaOのカルシウムイオン交換容量を有し、一般式:
0.8-1.5 Na2O. Al2O3 . 0.8-6 SiO2
に対応し、いくらかの水を組み込んでいる。上記式の中の好ましいアルミノケイ酸ナトリウムは、1.5〜3.0のSiO2単位を含有する。文献に詳しく記載されているように、アモルファスアルミノケイ酸塩と結晶性アルミノケイ酸塩がケイ酸ナトリウムとアルミン酸ナトリウムの間の反応によって調製され得る。
【００６２】
適切な結晶性アルミノケイ酸ナトリウムのイオン交換洗剤ビルダーは、例えば、英国特許第1429143号明細書(Procter & Gamble)に記載されている。このタイプの好ましいアルミノケイ酸ナトリウムは、周知の市販のゼオライトAおよびX、およびこれらの混合物である。欧州特許第384070号明細書(Unilever)に記載されているゼオライトPもまた興味深い。
他の種類の化合物は層状ケイ酸ナトリウムビルダーであり、例えば、米国特許出願公開第4464839号明細書および同第4820439号明細書に開示されており、欧州特許出願公開第551375号明細書にも言及されている。
【００６３】
これらの材料は、下記一般式の結晶性層状ケイ酸ナトリウムであると米国特許出願公開第4820439号に定義されている
NaMSixO2x+1 . YH2O
(式中、
Mは、ナトリウムまたは水素を示し、
xは、1.9から4まであり、yは、0から20までである)。
【００６４】
その材料の調製を記載している引用した参考文献には、Glastechn. Ber. 37,194-200 (1964), Zeitschrift fuer Kristallogr. 129, 396-404 (1969), Bull. Soc. Franc. Min. Crist., 95, 371-382 (1972) and Amer. Mineral, 62, 763-771 (1977)が含まれる。これらの材料は、また、水からカルシウムイオンおよびマグネシウムイオンを取り除くために機能し、効果的な水軟化剤であることがわかった亜鉛塩も包含される。
2) イオン捕捉剤 - 金属イオンが不溶性塩を形成するかまたは界面活性剤と反応することを防止する薬剤、例えば、ポリホスフェート、モノマーポリカルボキシレート(クエン酸またはその塩等)、ポリカルボキシレートポリマー(ポリアクリレート、アクリル酸/マレイン酸コポリマー等)、アクリルホスホネート、EDTA、アルギン、アルギネート。
3) 抗核形成剤 - 種結晶成長を防止する薬剤、例えば、ポリカルボキシレートポリマー(ポリアクリレート、アクリル酸/マレイン酸コポリマー、アクリルホスホネート等)、スルホネート。そのポリマーは、同様にイオン捕捉剤としても作用し得る。
【００６５】
存在し得る好ましい有機水溶性水軟化剤としては、ポリカルボキシレートポリマー、例えば、ポリアクリレート、アクリル酸/マレイン酸コポリマー、アクリルホスホネート、モノマーポリカルボキシレート、例えば、シトレート、グルコネート、オキシジスクシネート、グリセロールモノ-、ジ-およびトリスクシネート、カルボキシメチルオキシスクシネート、カルボキシメチルオキシマロネート、ジピコリネート、ヒドロキシエチルイミノジアセテート、ホスホネート、イミノジスクシネート、ポリアスパラギン酸、BHT、ホスホネート安定剤、例えば、商品名Dequest 2060として入手可能なジエチレントリアミンペンタ(メチレンホスホン酸、その対応するペンタナトリウム塩)およびDequest 2066 Monsanto Chemical Co)、DTPMPおよびDTPMA(Dequest 2010)およびHEDPが挙げられる。
【００６６】
好ましくは、水溶性水軟化剤は、中和されたまたは部分的に中和されたカルボン酸、例えば、クエン酸、コハク酸またはマレイン酸、および/または中和されたまたは部分的に中和されたポリカルボン酸、例えばMw: 4000-8000のポリアクリレート(例えばAcusol 445N(Rohm & Haas) CAS REG Nr. 66019-18-9またはBASF製のSokalan)である。
【００６７】
その適切なポリマーの更なる例は、不飽和のスルホン酸モノマーを主成分としてポリマーを含有する。不飽和スルホン酸モノマーは、好ましくは以下の化合物の1つである: 2-アクリルアミドメチル-1-プロパンスルホン酸、2-メタクリアミド-2-メチル-1-プロパンスルホン酸、3-メタクリアミド-2-ヒドロキシプロパンスルホン酸、アリルスルホン酸、メタアリルスルホン酸、アリルオキシベンゼンスルホン酸、メタアリルオキシベンゼンスルホン酸、2-ヒドロキシ-3-(2-プロペニルオキシ)プロパンスルホン酸、2-メチル-2-プロピレン-1-スルホン酸、スチレンスルホン酸、ビニルスルホン酸、3-スルホプロピルアクリレート、3-スルホプロピルメタクリレート、スルホメチルアクリルアミド、スルホメチルメタクリルアミド、およびこれらの水溶性塩。
【００６８】
不飽和スルホン酸モノマーは、最も好ましくは2-アクリルアミド-2-プロパンスルホン酸(AMPS)である。
【００６９】
適切な酵素としては、ペルオキシダーゼ(peroxidises)、プロテアーゼ、リパーゼ、アミラーゼおよびセルラーゼ酵素が挙げられる。その酵素は、市販され、例えば、Nova Nordisk A/Sによって登録商標Esperase、Alcalase、Savinase、Termamyl、LipolaseおよびCelluzymeとして販売されている。存在する場合、望ましくは、酵素は0.5から3wt%まで、特に1〜2wt%の量で存在する(カートリッジ内容物の割合として)。
【００７０】
増粘剤またはゲル化剤が用いられてもよい。適切な増粘剤は、ポリアクリレートポリマー、例えば商標CARBOPOL、またはRohm & Hass社による商標ACUSOLとして販売されているものである。他の適切な増粘剤は、キサンタンガムである。
増粘剤が存在する場合には、一般的には0.2から4wt%、特に0.2〜2wt%の量で存在する。
【００７１】
1つ以上の追加成分が必要により含まれてもよい。これには、慣用の洗剤成分、例えば、別の界面活性剤、漂白剤、漂白促進剤、ビルダー、泡増強剤または泡抑制剤、変色防止剤、耐食剤、有機溶媒、共溶媒、相安定剤、乳化剤、防腐剤、汚れ懸濁剤、汚れ遊離剤、殺菌剤、抗微生物薬/抗菌薬、リン酸塩、例えばトリポリリン酸ナトリウムまたはトリポリリン酸カリウム、pH調整剤または緩衝剤、非ビルダーアルカリ度供給源、キレート化剤、粘土、例えばスメクタイト粘土 、酵素安定剤、抗水垢剤、着色剤、染料、ヒドロトロープ、移染防止剤、光沢剤および香料が含まれる。用いられる場合、その選択的成分は、一般的には、10wt%以下、例えば1から6wt%まで、カートリッジ内容物の全質量を構成する。
【００７２】
酵素が存在する場合、必要により、酵素の安定性を維持する材料が存在してもよい。その酵素安定剤としては、例えば、ポリオール(プロピレングリコール等)、ホウ酸およびホウ砂が挙げられる。これらの酵素安定剤の組み合わせが使われてもよい。用いられる場合、酵素安定剤は、一般的には、0.1から1wt%まで、カートリッジ内容物の全質量を構成する。
【００７３】
相安定剤および/または共溶媒として使用する材料が用いられてもよい。例は、C1-C3アルコールまたはジオール、例えば、メタノール、エタノール、プロパノール、1,2-プロパンジオールである。C1-C3アルカノールアミン、例えば、モノ-、ジ-、トリ-エタノールアミン、モノイソプロパノールアミンもそれ自体でまたはアルコールと組み合わせて使用し得る。
【００７４】
洗浄性成分は、液体形態にある場合には、無水であるかまたは、例えば、5wt%までの水を含有し得る。望ましくは、水性物質は、10wt%、15wt%、20wt%、25wt%または30wt%を超える水、望ましくは80wt%未満の水、より望ましくは70wt%、60wt%、50wt%または40wt%未満の水を含有する。それは、例えば、30から65wt%までの水を含有し得る。
【００７５】
必要により、pHレベルを調整するかまたは維持する成分が用いられ得る。pH調整剤の例は、NaOHおよびクエン酸である。カートリッジ内容物/洗濯液のpHは、例えば1から13までであり得る。
下記の実施例によって本発明を具体的に説明する。
【実施例１】
【００７６】
一組の試験と対照の条件を用いて洗浄試験を行った(表1を参照のこと)。従って、試験は本発明の方法(「Xeros Plus」多数回量)に従って行われるPCT出願GB2011/050243に記載されている好ましい洗浄装置の使用を必要とし、メインの洗濯の開始で添加された単一洗剤用量方法を用いた以外は同一の装置において対照を行った(「Xeros Plus」一回量)。洗濯物荷重は、いずれの場合も合計12kgになる混合衣類の同一の組成物であった。洗剤成分は、以下の通りであった: 界面活性剤 - Christeynsによって供給されたMulan 200S; 過酸化水素 - 酸化成分 - Procter & Gambleによって供給されたACE B; テトラアセチルエチレンジアミン(TAED) - 酸化成分活性化剤 - Warwick Chemicalsによって供給された; 蛍光増白剤 - Clariantによって供給されたLeucophor BMB; および香料 - Symrise(登録商標) AGによって供給されたAmour Japonais。洗濯物荷重に汚染を加えて、洗剤に圧力を加えた - 6のWFKPCMS-55_05-05x05 標準工業用/商業用ランドリーモニタと12のWFKSBL2004が皮脂グリース汚染シートをシミュレートした。後者を用いて、〜8 g/kg洗濯物荷重の皮脂レベルを生成し、このことにより用いられる洗剤に圧力を加えた。
【００７７】
2013527780.tif 000003
表１. 洗浄試験
【００７８】
Xeros Plus 多数回量およびXeros Plus 一回量サイクルを28℃の同じ洗濯温度で行った。しかしながらXeros Plus 多数回量サイクルにおいて、60℃の混合タンクにおいてメイン洗濯とは別々に酸化成分とその活性化剤を加熱するこの手法による能力を利用し、それによって添加の前に化学的により活性になることができた。しかしながら、上述したように、少量の60℃の水を添加したが、その他の洗濯成分の周囲温度が温度全体を抑えたので、このサイクルの間の洗濯温度のみが28℃に達した。酸化成分または活性化剤を含めない以外、同量の60℃加熱水をXeros Plus 一回量サイクルの洗濯サイクルの間に同時に添加したことに留意されたい(表1に示されるようにこれはメイン洗濯の開始時にすでに添加されている)。それ故、Xeros Plus 一回量サイクルにおけるこの追加の加熱水の目的は、Xeros Plus 多数回量の場合に対して28℃の同じ最終洗濯温度まで全体にわたって同一の温度プロファイルを確実にすることであった。それ故、これらの2つのサイクル間の唯一の差は、洗剤添加の手段であった(すなわち、メイン洗濯の開始時にすべての成分を一回添加するのに対してサイクル全体にわたって成分を多数回添加する)。メイン洗濯、ビーズ分離およびリンスを含む双方のサイクルの全サイクル時間は、90分において同一であった。両者に対して3つのリンスプログラムを用い、表1に示されるようにXeros Plus 多数回量サイクルの最終リンスにおいて蛍光増白剤と香料を添加した。
【００７９】
比色測定を用いて洗浄のレベルを評価した。発光体D65下で、10°の標準観測者を使って、パーソナルコンピュータにインターフェースしたDatacolor Spectraflash SF600分光光度計を用いてWFK汚染モニタの反射値を測定し、UV成分を含め、鏡面成分を排除した; 3cmのビューイングアパーチャを用いた。CIE L*色座標を汚染モニタ上の各汚染に用い、次にこれらの値について各汚染タイプを平均した。より高いL*値がより良好な洗浄を示すことに留意されたい。結果を表2に示す。
【００８０】
2013527780.tif 000004
表２. 洗浄結果
【００８１】
表２からわかるように、Xeros Plus 多数回量サイクルは、Xeros Plus 一回量サイクルに対して圧倒的に優れた洗浄を得る。試験した13の汚染タイプのうちの10がXeros Plus 多数回量で優れた洗浄を示し、1つが双方のサイクルに対して同等の洗浄を示し、2つだけはXeros Plus 一回量で優れた洗浄を示している。
次に、背景白に対する汚染モニタ下地材料について、更に汚染10Dおよび20D(表1を参照のこと)に対する皮脂グリース除去についての分析を行って、可視スペクトル(400 - 700nm)全体のこれらの波長依存性を調べた。低洗濯温度のグリース除去は、ポリマービーズによる洗浄が、特に洗浄力に対するこの多成分添加手法と組み合わせたときに重要な効果を得る。上記の同じ分光光度計装置において、可視波長の関数として反射率を測定して、図1 - 3に示される呈色強度値(K/S)を測定した。所定の波長において、より低いK/S値が良好な背景白と洗浄を示すことに留意されたい。
図1からわかるように、汚染モニタの下地材料の背景白がXeros Plus多数回量サイクルで改善された。これは、最終リンスにおける蛍光増白剤の遅い添加の効果である(表1を参照のこと)。精確にここでは、420 - 480nm範囲のK/S値が改善され、このことにより材料がより青い色合いを示し(これは可視スペクトルの青端部である)、使用者は典型的にはこれをかなりの性能増大として見る。一回量に対しては、洗浄力に対して多成分添加手法を用いることにより蛍光増白剤のレベルを低下させる範囲があることを明らかに示している。視覚評価試験も行い、6人の志願者がこの効果を評価した。偏りを防ぐために試験汚染モニタについてすべてのコード化が包含され、全6人の志願者は、Xeros Plus 多数回量サイクルを用いて洗浄されるときに汚染モニタの下地材料に対して優れた背景白を示した。
Xeros Plus 多数回量サイクルによる皮脂/色素(図2及び図3を参照のこと)についての洗浄性能は、木綿(汚染10D)およびポリエステル/木綿生地(汚染20D)双方が優れていることを再び示した。この低温除去がランドリー用途の重要な推進要因であるのでこの汚染が特に興味深く、(ここで用いられるように)低洗濯温度で除去することは極めて重要であるが非常に困難である。それ故、その性能改善は、洗浄力に対する多成分添加の利点を明らかに再び示している。
最後に、官能検査は、双方のサイクルに用いられる汚染モニタの新鮮さ/香料を評価するために、上記のように同じ6人の志願者により行った。偏りを防ぐために試験汚染モニタについてすべてのコード化が再び包含され、4人の志願者はXeros Plus 多数回量サイクルがこれらのモニタ上により新しい匂いを生じたと思った; 1人は違いを識別することができなかった; 1人はXeros Plus 一回量サイクルがより新しい匂いを生じたと思った。それ故、ここでもまた、証拠は、洗浄力に対して多成分添加手法を強く支持した。
【実施例２】
【００８２】
実施例1と同じ洗濯条件を用いて、異なる染料に対して異なるビーズの性能を試験した。分光計を用いて結果を評価した(上記のように)。
【００８３】
2013527780.tif 000005
【実施例３】
【００８４】
実施例1と同じ洗濯条件を用いて、異なる染料について異なるビーズの性能を試験した。視覚評価試験を行い、6人の志願者がこの効果を評価した。
【００８５】
2013527780.tif 000006
【００８６】
2013527780.tif 000007
【図１】
2013527780.tif 000008
【図２】
2013527780.tif 000009
【図３】
2013527780.tif 000010
【国際調査報告】
2013527780.tif 000011
2013527780.tif 000012
2013527780.tif 000013
2013527780.tif 000014